(57)【特許請求の範囲】
【請求項１】
角度調整金具（３）によってソファー固定部（４５）に連結され角度調整自在に取付けられた肘掛け部（４９）を備え、該肘掛け部（４９）を起立方向（Ａ）へ揺動可能としつつ上記肘掛け部（４９）の傾倒方向（Ｂ）への揺動を規制するロック状態と、上記肘掛け部（４９）を起立状のロック解除姿勢（Ｔ０）とすることにより上記規制を無効化して上記傾倒方向（Ｂ）への揺動を可能とするフリー状態とに、切換えるように構成されたソファーに於て、
上記角度調整金具（３）は、上記ロック状態に於て、浮動くさび部材（６）の歯面（７）がギア部（４）に噛合し、かつ、当接面（９）がくさび面（８）に当接し、第１部材（１）と第２部材（２）が相対的に一方向（Ｂ）へ揺動することを規制し、上記フリー状態下では、上記浮動くさび部材（６）が退避空間（２５）に収納されて、退避状態となり、上記ギア部（４）と上記歯面（７）の噛合が解除されて、上記規制が解除され、上記第１部材（１）と上記第２部材（２）をロック解除位置（Ｐ０）から相対的に上記一方向（Ｂ）へ揺動させるフリー揺動（Ｍ１）の途中に於て、他方向（Ａ）への所定の小角度（θ）の引返し動作（Ｍ２）によって、上記浮動くさび部材（６）を退避状態から上記ギア部（４）との噛合状態に復帰させる復帰手段（１０）を具備し、
上記フリー状態で、上記肘掛け部（４９）は、上記ロック解除姿勢（Ｔ０）からロック復元のための最下方傾倒姿勢（Ｔ２）へ向けて上記傾倒方向（Ｂ）へ揺動する途中の任意の中間傾斜姿勢（Ｔ１）にて、上記起立方向（Ａ）への所定の小角度（θ）の引返し動作（Ｍ２）によって、上記復帰手段（１０）が上記浮動くさび部材（６）を退避状態から上記ギア部（４）との噛合状態に復帰させ、上記規制を復元してロック状態とし、上記肘掛け部（４９）の姿勢を保持するように構成されたことを特徴とするソファー。
【請求項２】
角度調整金具（３）によって背部（４６）の上縁に連結され角度調整自在に取付けられたヘッドレスト部（４８）を備え、該ヘッドレスト部（４８）を起立方向（Ａ）へ揺動可能としつつ上記ヘッドレスト部（４８）の傾倒方向（Ｂ）への揺動を規制するロック状態と、上記ヘッドレスト部（４８）を起立状のロック解除姿勢（Ｔ０）とすることにより上記規制を無効化して上記傾倒方向（Ｂ）への揺動を可能とするフリー状態とに、切換えるように構成されたソファーに於て、
上記角度調整金具（３）は、上記ロック状態に於て、浮動くさび部材（６）の歯面（７）がギア部（４）に噛合し、かつ、当接面（９）がくさび面（８）に当接し、第１部材（１）と第２部材（２）が相対的に一方向（Ｂ）へ揺動することを規制し、上記フリー状態下では、上記浮動くさび部材（６）が退避空間（２５）に収納されて、退避状態となり、上記ギア部（４）と上記歯面（７）の噛合が解除されて、上記規制が解除され、上記第１部材（１）と上記第２部材（２）をロック解除位置（Ｐ０）から相対的に上記一方向（Ｂ）へ揺動させるフリー揺動（Ｍ１）の途中に於て、他方向（Ａ）への所定の小角度（θ）の引返し動作（Ｍ２）によって、上記浮動くさび部材（６）を退避状態から上記ギア部（４）との噛合状態に復帰させる復帰手段（１０）を具備し、
上記フリー状態で、上記ヘッドレスト部（４８）は、上記ロック解除姿勢（Ｔ０）からロック復元のための最下方傾倒姿勢（Ｔ２）へ向けて上記傾倒方向（Ｂ）へ揺動する途中の任意の中間傾斜姿勢（Ｔ１）にて、上記起立方向（Ａ）への所定の小角度（θ）の引返し動作（Ｍ２）によって、上記復帰手段（１０）が上記浮動くさび部材（６）を退避状態から上記ギア部（４）との噛合状態に復帰させ、上記規制を復元してロック状態とし、上記ヘッドレスト部（４８）の姿勢を保持するように構成されたことを特徴とするソファー。
【発明の詳細な説明】
【技術分野】
【０００１】
本発明は、ソファーに関する。
【背景技術】
【０００２】
従来、肘掛け部がリクライニング可能（角度調整自在）に付設されたソファーがあった（特許文献１参照）。
【先行技術文献】
【特許文献】
【０００３】
【特許文献１】実公平３−３００５４号公報
【発明の概要】
【発明が解決しようとする課題】
【０００４】
従来のソファーは、肘掛け部を鉛直姿勢（ロック解除位置）まで起立させると、ロックが解除されて傾倒方向への揺動が可能となり、その後、肘掛け部を水平姿勢（ロック復元位置）となるまで揺動（傾倒）させると、ロックが復元する。このロック状態の復元によって、その後、肘掛け部を起立方向にしだいに揺動させてゆくと所望の傾斜角度にて傾斜姿勢を保持できるように構成されていた。
しかし、一旦、ロックを解除すると、肘掛け部を水平姿勢（ロック復元位置）とするまで、ロックを復元できなかった。つまり、ロック解除位置からロック復元位置までの途中の中間傾斜位置で肘掛け部の角度調整を開始できないという欠点があった。
【０００５】
例えば、ロック状態下で肘掛け部に過大な荷重が掛けられた際、肘掛け部のフレームが（傾倒方向に）曲がり、又は、角度調整金具のアーム等が塑性変形して、肘掛けを水平姿勢よりも余分に下方に倒さなければ、ロックを復元できなくなる虞れがあった。このため、ソファーを床に置いて使用する場合は、肘掛け部を水平姿勢より下方に倒すことができない為、肘掛け部の角度調整を行う度にソファー全体を持ち上げる等の手間が掛かるので、面倒であった。また、ソファーを壁際に設置した際には、肘掛け部が壁と干渉（当接）してロック復元位置まで揺動できないことがあり、肘掛け部がロック復元位置に至るまでに壁等の障害物に干渉する場合には、ロックを復元できなくなる虞れがあった。
【０００６】
そこで、本発明は、肘掛け部をロック解除姿勢から傾倒させる途中の中間傾斜姿勢で簡単にロック状態を復元し、任意の中間傾斜姿勢から角度調整を行って肘掛け部の姿勢を保持し得るソファーを提供することを目的とする。
【課題を解決するための手段】
【０００７】
本発明に係るソファーは、角度調整金具によってソファー固定部に連結され角度調整自在に取付けられた肘掛け部を備え、該肘掛け部を起立方向へ揺動可能としつつ上記肘掛け部の傾倒方向への揺動を規制するロック状態と、上記肘掛け部を起立状のロック解除姿勢とすることにより上記規制を無効化して上記傾倒方向への揺動を可能とするフリー状態とに、切換えるように構成されたソファーに於て、上記角度調整金具は、上記ロック状態に於て、浮動くさび部材の歯面がギア部に噛合し、かつ、当接面がくさび面に当接し、第１部材と第２部材が相対的に一方向へ揺動することを規制し、上記フリー状態下では、上記浮動くさび部材が退避空間に収納されて、退避状態となり、上記ギア部と上記歯面の噛合が解除されて、上記規制が解除され、上記第１部材と上記第２部材をロック解除位置から相対的に上記一方向へ揺動させるフリー揺動の途中に於て、他方向への所定の小角度の引返し動作によって、上記浮動くさび部材を退避状態から上記ギア部との噛合状態に復帰させる復帰手段を具備し、上記フリー状態で、上記肘掛け部は、上記ロック解除姿勢からロック復元のための最下方傾倒姿勢へ向けて上記傾倒方向へ揺動する途中の任意の中間傾斜姿勢にて、上記起立方向への所定の小角度の引返し動作によって、上記復帰手段が上記浮動くさび部材を退避状態から上記ギア部との噛合状態に復帰させ、上記規制を復元してロック状態とし、上記肘掛け部の姿勢を保持するように構成されたものである。
【０００８】
また、角度調整金具によって背部の上縁に連結され角度調整自在に取付けられたヘッドレスト部を備え、該ヘッドレスト部を起立方向へ揺動可能としつつ上記ヘッドレスト部の傾倒方向への揺動を規制するロック状態と、上記ヘッドレスト部を起立状のロック解除姿勢とすることにより上記規制を無効化して上記傾倒方向への揺動を可能とするフリー状態とに、切換えるように構成されたソファーに於て、上記角度調整金具は、上記ロック状態に於て、浮動くさび部材の歯面がギア部に噛合し、かつ、当接面がくさび面に当接し、第１部材と第２部材が相対的に一方向へ揺動することを規制し、上記フリー状態下では、上記浮動くさび部材が退避空間に収納されて、退避状態となり、上記ギア部と上記歯面の噛合が解除されて、上記規制が解除され、上記第１部材と上記第２部材をロック解除位置から相対的に上記一方向へ揺動させるフリー揺動の途中に於て、他方向への所定の小角度の引返し動作によって、上記浮動くさび部材を退避状態から上記ギア部との噛合状態に復帰させる復帰手段を具備し、上記フリー状態で、上記ヘッドレスト部は、上記ロック解除姿勢からロック復元のための最下方傾倒姿勢へ向けて上記傾倒方向へ揺動する途中の任意の中間傾斜姿勢にて、上記起立方向への所定の小角度の引返し動作によって、上記復帰手段が上記浮動くさび部材を退避状態から上記ギア部との噛合状態に復帰させ、上記規制を復元してロック状態とし、上記ヘッドレスト部の姿勢を保持するように構成されたものである。
【発明の効果】
【０００９】
本発明のソファーによれば、フリー状態に於て、肘掛け部を傾倒方向へ揺動させる途中の任意の中間傾斜姿勢にて、起立方向に少しだけ引き戻すことで、無効化した規制を復元してロック状態とできる。即ち、肘掛け部を、起立状のロック解除姿勢として規制を無効化した後、ロック復元のための水平状の傾倒姿勢とすることなく、ロック状態を復元でき、肘掛け部を任意の中間傾斜姿勢で保持でき、かつ、その中間傾斜姿勢から角度調整を開始できる。即ち、肘掛け部が障害物との干渉（当接）によりロック状態を復元できなくなるという前述の問題点を解消し、容易かつ迅速に角度調整できる。
また、フリー状態に於て、ヘッドレスト部を傾倒方向へ揺動させる途中の任意の中間傾斜姿勢にて、起立方向に少しだけ引き戻すことで、無効化した規制を復元してロック状態とできる。即ち、ヘッドレスト部を、起立状のロック解除姿勢として規制を無効化した後、ロック復元のための水平状の傾倒姿勢とすることなく、ロック状態を復元でき、ヘッドレスト部を任意の中間傾斜姿勢で保持でき、かつ、その中間傾斜姿勢から角度調整を開始できる。即ち、ヘッドレスト部が障害物との干渉（当接）によりロック状態を復元できなくなるという前述の問題点を解消し、容易かつ迅速に角度調整できる。
【図面の簡単な説明】
【００１０】
【図１】本発明の実施の一形態を示した斜視図である。
【図２】本発明の実施の一形態を示した斜視図である。
【図３】本発明のソファーを一部透視した斜視図である。
【図４】本発明のソファーを一部透視した斜視図である。
【図５】角度調整金具の実施の一形態を示した分解斜視図である。
【図６】角度調整金具の組立完了前の半製品状態の斜視図である。
【図７】図６の断面図である。
【図８】角度調整金具の組立使用状態の斜視図である。
【図９】図８の断面図である。
【図１０】角度調整金具の断面図であり、（Ａ）は全体断面図であり、（Ｂ）は要部拡大断面図である。
【図１１】角度調整金具の断面図であり、（Ａ）は全体断面図であり、（Ｂ）は要部拡大断面図である。
【図１２】角度調整金具の断面図であり、（Ａ）は全体断面図であり、（Ｂ）は要部拡大断面図である。
【図１３】角度調整金具の断面図であり、（Ａ）は全体断面図であり、（Ｂ）は要部拡大断面図である。
【図１４】角度調整金具の断面図であり、（Ａ）は全体断面図であり、（Ｂ）は要部拡大断面図である。
【図１５】角度調整金具の断面図であり、（Ａ）は全体断面図であり、（Ｂ）は要部拡大断面図である。
【図１６】角度調整金具の断面図であり、（Ａ）は全体断面図であり、（Ｂ）は要部拡大断面図である。
【図１７】弾性部を示す図であり、（Ａ）は正面図であり、（Ｂ）は未圧縮状態での断面側面図であり、（Ｃ）は圧縮状態での断面側面図である。
【図１８】ソファーの要部拡大図である。
【図１９】ソファーの要部拡大図である。
【発明を実施するための形態】
【００１１】
以下、実施の形態を示す図面に基づき本発明を詳説する。
図１〜図４に示すように、本発明のソファーは、４本の脚を有するソファー固定部４５を備え、ソファー固定部４５に座部４７，４７と背部４６，４６が設置されている。座部４７・背部４６の側方には、角度調整金具３によってソファー固定部４５に連結され角度調整自在に取付けられた肘掛け部４９を備え、肘掛け部４９を起立方向Ａへ揺動可能としつつ肘掛け部４９の傾倒方向Ｂへの揺動を規制するロック状態と、肘掛け部４９を起立状のロック解除姿勢Ｔ０（図１８参照）とすることにより規制を無効化して傾倒方向Ｂへの揺動を可能とするフリー状態とに、切換えるように構成されている。なお、図１８に於て、ロック解除姿勢Ｔ０が鉛直起立状姿勢として設定されたように図示しているが、この点は設計変更可能であって、傾斜状起立姿勢にてロックが解除されるも好ましい。
図１８に示すように、フリー状態で、肘掛け部４９は、起立状のロック解除姿勢Ｔ０からロック復元のための水平状の傾倒姿勢Ｔ２へ向けて傾倒方向Ｂへ揺動する途中の任意の中間傾斜姿勢Ｔ１にて、起立方向Ａへの所定の小角度θの引返し動作Ｍ２によって、規制を復元してロック状態とし、肘掛け部４９の姿勢を保持するように構成されている。
【００１２】
図３と図４に示すように、肘掛け部４９は、肘掛け支持枠４９Ｂを内設し、肘掛け支持枠４９Ｂをクッション及び表皮で被覆して構成される。肘掛け支持枠４９Ｂは、夫々２個の角度調整金具３，３によってソファー固定部４５に連結されている。
【００１３】
図１９に示すように、ロック状態で肘掛け部４９に過大な荷重が掛けられて、ロック解除姿勢Ｔ０´が正常なロック解除姿勢Ｔ０（図１８参照）より傾倒方向Ｂに僅かに傾いても、肘掛け部４９は、フリー状態下で、ロック解除姿勢Ｔ０´から傾倒方向Ｂへ揺動する途中の任意の中間傾斜姿勢Ｔ１，Ｔ１´にて、起立方向Ａへの所定の小角度θの引返し動作Ｍ２によって、規制を復元してロック状態とし、このロック状態の復元により、肘掛け部４９の角度調整を開始して、肘掛け部４９の姿勢を保持する。即ち、角度調整金具３の塑性変形や固着箇所でのガタつきが生じ、肘掛け部４９のロック解除姿勢Ｔ０´が正常なロック解除姿勢Ｔ０（図１８参照）より傾倒方向Ｂに僅かに傾いて、肘掛け部４９の最下方揺動位置が水平状傾倒姿勢よりも下方に降下した場合であっても、任意の中間傾斜姿勢Ｔ１、及び、最下方揺動位置にまで倒せない状態（符号Ｔ１´）で、ロックを復元して肘掛け部４９の角度調整を開始し得る。
【００１４】
また、角度調整金具３によって背部４６の上縁に連結され角度調整自在に取付けられたヘッドレスト部４８を備え、ヘッドレスト部４８を起立方向Ａへ揺動可能としつつヘッドレスト部４８の傾倒方向Ｂへの揺動を規制するロック状態と、ヘッドレスト部４８を起立状のロック解除姿勢Ｔ０とすることにより規制を無効化して傾倒方向Ｂへの揺動を可能とするフリー状態とに、切換えるように構成されている。図３と図４に示すように、ヘッドレスト部４８は、ヘッドレスト支持枠４８Ｂを内設し、ヘッドレスト支持枠４８Ｂをクッション及び表皮で被覆して構成される。ヘッドレスト支持枠４８Ｂは、夫々２個の角度調整金具３，３によって背部４６の上縁に連結されている。
本発明のソファーに於て、フリー状態で、ヘッドレスト部４８は、起立状のロック解除姿勢Ｔ０からロック復元のための水平状の傾倒姿勢Ｔ２へ向けて傾倒方向Ｂへ揺動する途中の任意の中間傾斜姿勢Ｔ１にて、起立方向Ａへの所定の小角度θの引返し動作Ｍ２によって、規制を復元してロック状態とし、ヘッドレスト部４８の姿勢を保持するように構成されている。
【００１５】
特に、角度調整金具３の塑性変形や固着箇所でのガタつきが生じ、ヘッドレスト部４８のロック解除姿勢Ｔ０´が正常なロック解除姿勢Ｔ０より傾倒方向Ｂに僅かに傾いて、ヘッドレスト部４８の最下方揺動位置が水平状傾倒姿勢よりも下方に降下した場合であっても、任意の中間傾斜姿勢Ｔ１、及び、最下方揺動位置にまで倒せない状態（符号Ｔ１´）で、ロックを復元してヘッドレスト部４８の角度調整を開始し得る。
なお、本発明のソファーは、背部４６をリクライニング可能として、ソファーベッドとしても使用可能である。
【００１６】
ここで、角度調整金具３について詳しく説明する。
図５〜図９に示すように、角度調整金具３は、非円形の貫通孔２３を有する円盤体１６を揺動軸心Ｃ廻りに回転自在に保持した第１部材１と、貫通孔２３に軸心方向のいずれからでも差込可能な非円形状軸部２０を突設した第２部材２とを、備え、軸部２０を貫通孔２３に差し込んで第１部材１と第２部材２とを相対的揺動可能に枢結している。円盤体１６の外周縁部には、ギア部４が形成され、一面側がギア部４に噛合可能な歯面７とされ他面側が第１部材１側に形成されたくさび面８に当接する当接面９とされた浮動くさび部材６を備えている。
【００１７】
第１部材１は、円盤体１６を挟み込んで保持する一対の対面板部１３，１３と、肘掛け部４９又はヘッドレスト部４８に固着するための取付部１７とを、備えている。対面板部１３には、各々に、円形支持孔２１が貫設され、かつ、浮動くさび部材６を保持するくさび形空間を形成するための（くさび形の）窓部５が形成されている。さらに、対面板部１３は、外側面に、係止用小突起３３と、小径の枢支軸部２７とが、突設されている。（くさび形の）窓部５は、円弧状のくさび面８を有し、浮動くさび部材６をギア部４から離間させた状態として収納するための退避空間２５を形成している。円盤体１６は、円形支持孔２１，２１に挿入可能な円形低突隆部２４，２４を、左右両側面に突設している。円盤体１６は、外周縁部の１／３〜１／４の範囲（中心角が９０°〜１２０°の範囲）にギア部４が形成され、ギア部４の始端部及び終端部の２箇所には、突起部（タイミング突起）２８，２８が形成されている。円盤体１６は、円形低突隆部２４，２４を円形支持孔２１，２１に挿入して一対の対面板部１３，１３に挟み込まれ、回転自在に枢着・保持されており、対面板部１３，１３は、相互に平行に配設されて、リベット４２，４２によって取付部１７に固着（鋲着）されている。
【００１８】
第２部材２は、ソファー固定部４５又は背部４６に固着するための取付部１８を有し、取付部１８の一端に非円形状の軸部２０を突設している。軸部２０は、雌ネジ孔４４を有している。取付部１７，１８には、ボルトやビスを通すための複数の小孔２９が形成されている。
浮動くさび部材６は、一対の対面板部１３，１３（窓部５，５）とギア部４によって形成されたくさび形空間に保持され、窓部５，５から両側端部が（左右に）突出するように構成されている。ところで、望ましくは、歯面７には、１３本〜２０本のギア歯を形成し、また、円盤体１６のギア部４には、４０本以上の（ピッチの小さな）ギア歯、より好ましくは４５本〜６５本のギア歯を形成する。従って、角度調整段数は４０段以上とすることができる。浮動くさび部材６の当接面９側（取付部１７側）には、浮動くさび部材６をギア部４に押し付ける方向に弾発付勢するためのばね（弾発）部材２６を備えている。
【００１９】
図１０に示すように、浮動くさび部材６の当接面９がくさび面８に当接すると共に歯面７とギア部４が噛合する噛合状態では、第１部材１と第２部材２が相対的に一方向Ｂへ揺動するのを抑制（阻止）する。そして、図１３に示すように、第１部材１と第２部材２を相対的に他方向Ａに揺動させてロック解除位置Ｐ０とすることにより、浮動くさび部材６を移動させてギア部４から離間させ、ギア部４と歯面７の噛合を解除した退避状態とする。図１４に示す退避状態下で、第１部材１と第２部材２が相対的に一方向Ｂへ揺動可能となるように構成されている。本発明に於て、退避状態下で第１部材１と第２部材２のロック（揺動規制）が解除され、第１部材１と第２部材２が（相対的に）一方向Ｂへ揺動することを、「フリー揺動（Ｍ１）」と呼ぶ。
【００２０】
角度調整金具３は、第１部材１と第２部材２をロック解除位置Ｐ０から相対的に上記一方向Ｂへ揺動させるフリー揺動Ｍ１の途中に於て、図１５に示すように、他方向Ａへの所定の小角度θの引返し動作Ｍ２によって、浮動くさび部材６を退避状態からギア部４との噛合状態に復帰させる復帰手段１０を具備している。
【００２１】
復帰手段１０は、対面板部１３に対して所定の小角度θの範囲で回動する環状部材１２と、一端１１ａが環状部材１２に連動連結され中間部を支点として所定の角度範囲で揺動自在であると共に他端１１ｂが退避状態の浮動くさび部材６に押圧可能に配設された揺動部材１１と、軸部２０が嵌着される非円形の嵌着孔１９を有し軸部２０と一体回転すると共に環状部材１２をアキシャル内方向に弾発付勢しつつ摺接する弾性部１４を有する圧接摩擦部材１５とを、具備している。
図１４に示す退避状態下で、第１部材１と第２部材２の一方向Ｂへのフリー揺動Ｍ１中は、（揺動部材１１の他端１１ｂが浮動くさび部材６を押圧しない第１位置Ｖ１で保持されて）浮動くさび部材６は退避状態を維持する。図１５に示す他方向Ａへの引返し動作Ｍ２により、環状部材１２が弾性部１４との摩擦力によって所定の小角度θだけ回動すると共に揺動部材１１が（他端１１ｂにて浮動くさび部材６を押圧する第２位置Ｖ２に移行して）浮動くさび部材６を（退避空間２５から押し出すように）移動させギア部４と歯面７を噛合状態とするように構成されている。
【００２２】
図５に示すように、環状部材１２は、軸部２０を挿通するための円孔部２２を有する円環状に形成され、外周縁部に小突起３３に対応する係止用凹部３４と、円弧状切欠部３２とが形成されている。環状部材１２は、係止用凹部３４に小突起３３を移動可能に（遊びをもって）係着しており、揺動軸心Ｃを中心として所定の小角度θの範囲で回動可能である。
揺動部材１１は、略Ｖ字形状に形成された剛性の高い金属（又は樹脂）から成り、（短円柱状に形成された）一端１１ａが、円弧状切欠部３２に嵌込まれて環状部材１２に連動連結している。揺動部材１１は、中間部に枢支孔部３１が形成され枢支軸部２７が挿入されている。例えば、枢支軸部２７を支点としてシーソーのように揺動部材１１の一端１１ａを上下動させれば他端１１ｂが対応して反対に下上に動くように、対面板部１３（の外面側に）枢着されている。
【００２３】
図１７（Ａ）に示すように、弾性部１４は、円環状に形成され、一端面に複数の小凸部３７を突設している。弾性部１４は、弾性変形可能な樹脂（又は金属）から成り、他端面は環状部材１２に（後述の組立使用状態でアキシャル内方向に弾発付勢し）摺接する摺接面３９となる。
図５に於て、圧接摩擦部材１５は、円環状に形成され、弾性部１４の小凸部３７に対応して複数の小凹部３８が形成されている。弾性部１４は、複数の小凸部３７を小凹部３８に挿入して、圧接摩擦部材１５と一体に回転（共廻り）するように取付けられている。なお、弾性部１４は、圧接摩擦部材１５と一体に形成されるも好ましい。
図６、図７に示す半製品状態では、圧接摩擦部材１５，１５は、各環状部材１２の外側に配設され、弾性部１４が環状部材１２の外面に当接している。図１７（Ｂ）に示すように、弾性部１４は、未圧縮状態で、摺接面３９が円弧状である。圧接摩擦部材１５，１５は、カバー部材４０によって保持されている。カバー部材４０は、一対の（２分割状）樹脂製カバー半体４１，４１から成る。カバー半体４１，４１には、挿入ピンと挿入孔が夫々の組合せ対応位置に形成されている（図１参照）。カバー部材４０は、圧接摩擦部材１５，１５と、環状部材１２，１２及び揺動部材１１と、対面板部１３，１３及び円盤体１６及び浮動くさび部材６とを、被覆して、かつ、非常にコンパクトに収納している。
【００２４】
図８、図９に示す組立使用状態では、貫通孔２３及び嵌着孔１９に、第２部材２の軸部２０が嵌通され、雌ネジ孔４４にボルト４３を螺着して、第１部材１と第２部材２を挿通している。ボルト４３はワッシャ５１に挿通されている。圧接摩擦部材１５，１５は、ボルト４３の締付力によって圧縮されて弾性部１４，１４が弾性変形している。図１７（Ｃ）に示すように、弾性部１４は、圧縮状態で、摺接面３９が平坦面状となり環状部材１２に圧接している。即ち、圧接摩擦部材１５，１５は、弾性部１４，１４にて環状部材１２，１２をアキシャル内方向に弾発付勢している。
【００２５】
次に、角度調整金具３の作用について説明する。
図１０に示す噛合状態では、浮動くさび部材６の歯面７がギア部４に噛合し、かつ、当接面９がくさび面８に当接し、第１部材１と第２部材２が相対的に一方向Ｂへ揺動することを規制（阻止）する。以下、第２部材２はソファー固定部４５又は背部４６に取付けられ、第１部材１が肘掛け部４９又はヘッドレスト部４８に取付けられて、（固定された）第２部材２に対して第１部材１を揺動させるものとして説明する。
次に、図１１に示すように、第１部材１を起立方向Ａに揺動させると、浮動くさび部材６は窓部５内で小移動し、当接面９がくさび面８から離れて僅かな隙間ｄを生じる。さらに第１部材１を起立方向Ａに揺動させると、浮動くさび部材６の誘導勾配面３５が窓部５の段付部３６に乗り上げて、隙間ｄにより浮動くさび部材６の歯面７がギア部４から離れ、歯面７がギア部４をカチカチと音をたてて乗り越える。第２部材２に対し第１部材１を傾倒方向Ｂへ揺動させようとしても、浮動くさび部材６のくさび作用により揺動が規制（阻止）され、第１部材１は姿勢を維持（固定保持）される。環状部材１２には、起立方向Ａへの揺動の際に、弾性部１４（圧接摩擦部材１５）との摩擦力によって、対面板部１３に対して矢印Ｎ方向（図の反時計回り方向）に回転力が作用するが、（係止用）凹部３４に小突起３３が当接して環状部材１２は（対面板部１３に対して）係止されている。
【００２６】
図１２のように、さらに第１部材１を起立方向Ａに揺動させると、歯面７がギア部４を繰り返し乗り越えて、ギア部４が終端部に設けられた突起部２８が浮動くさび部材６に当接する。
図１３に示すように、突起部２８が浮動くさび部材６に当接した状態で、第１部材１をさらに起立方向Ａに揺動させ、起立状のロック解除位置Ｐ０とすると、浮動くさび部材６は、突起部２８に押されて、退避空間２５に移動して収納され、歯面７がギア部４から離間する（退避状態となる）。この際、揺動部材１１は、他端１１ｂが浮動くさび部材６に押圧されて揺動する。これを、第１位置Ｖ１とする。揺動部材１１は、第１位置Ｖ１に揺動して、一端１１ａが環状部材１２を押し、環状部材１２は矢印Ｒ方向（図の時計回り方向）に小角度θだけ回動する。
退避状態下では、浮動くさび部材６が退避空間２５に収納されて、ギア部４と歯面７の噛合が解除されている。従って、傾倒方向Ｂへのロック（揺動規制）が解除され、第１部材１は傾倒方向Ｂへのフリー揺動が可能となる。
【００２７】
次に、図１４に示すように、第１部材１を傾倒方向Ｂへフリー揺動Ｍ１する際、環状部材１２は、弾性部１４との摩擦力によって矢印Ｒ方向に回転力を受けているが、（係止用）凹部３４に小突起３３が当接して係止されている。即ち、第１部材１の傾倒方向Ｂへのフリー揺動Ｍ１中は、揺動部材１１は、第１位置Ｖ１に保持されて、揺動することなく姿勢を保ち、浮動くさび部材６は退避状態を維持する。
【００２８】
図１５に於て、第１部材１の傾倒方向Ｂへのフリー揺動Ｍ１の途中で、起立方向Ａへ小角度θの引返し動作Ｍ２を行うと、環状部材１２は、弾性部１４との摩擦力によって矢印Ｎ方向（図の反時計回り方向）の回転力を受けて回動する。揺動部材１１は、回動する環状部材１２に一端１１ａが押されて揺動する。これを、第２位置Ｖ２とする。揺動部材１１は、他端１１ｂで浮動くさび部材６を押し出し、退避空間２５から移動させる。退避空間２５から押し出された浮動くさび部材６は、ばね部材２６によりギア部４に押し付けられ、歯面７がギア部４と噛合した噛合状態となる（ロック状態に復帰する）。
【００２９】
図１６では、浮動くさび部材６の歯面７がギア部４に噛合し、かつ、当接面９がくさび面８に当接した噛合状態となり、浮動くさび部材６のくさび作用が復元して、第１部材１の傾倒方向Ｂへの揺動を阻止する。このように、第１部材１をロック解除位置Ｐ０から傾倒方向Ｂへフリー揺動する途中の任意の位置で、簡単にロック状態を復元し、所望の中間傾斜位置で第１部材１の揺動を規制して姿勢を保持し、中間傾斜位置から起立方向Ａへ揺動させて角度調整を開始する。
【００３０】
なお、角度調整金具３は、設計変更可能であって、例えば、（くさび形の）窓部５を有さずに、代りに、浮動くさび部材６の当接面９を押圧する板片状部材等を用いることも自由である。また、カバー部材４０のデザインや寸法を変更しても良い。
また、歯面７のギア歯、及び、ギア部４のギア歯の本数は、前述の本数よりも、さらに増加しても自由であり、場合によって、逆に、前述の本数よりも減少するも自由である。なお、ギア歯の形成は、各種の塑性（プレス）加工、あるいは、ダイキャスト加工、ローレット加工等、自由に選択可能である。
特に、揺動部材１１は、図１４から図１５へ環状部材１２が小角度θだけ（反時計方向へ）回動するのに伴って、浮動くさび部材６を逆方向（時計方向）へ移動させて退避状態から押し出す（連れ出す又は引き出す）作用を成すための連動部材であれば、種々、設計変更が自由である。
また、図例では、軸部２０は正六角柱状に形成され、貫通孔２３も、これに対応して正六角形状である。軸部２０と貫通孔２３は、相互に嵌め込み可能な非円形状であれば良く、種々の多角形状、あるいは、その他の形状とすることもできる。
【００３１】
なお、本発明は、設計変更可能であって、例えば、肘掛け部４９は座部４７に連結されていても良い。
【００３２】
以上のように、本発明に係るソファーは、角度調整金具３によってソファー固定部４５に連結され角度調整自在に取付けられた肘掛け部４９を備え、肘掛け部４９を起立方向Ａへ揺動可能としつつ肘掛け部４９の傾倒方向Ｂへの揺動を規制するロック状態と、肘掛け部４９を起立状のロック解除姿勢Ｔ０とすることにより規制を無効化して傾倒方向Ｂへの揺動を可能とするフリー状態とに、切換えるように構成されたソファーに於て、フリー状態で、肘掛け部４９は、ロック解除姿勢Ｔ０からロック復元のための水平状の傾倒姿勢Ｔ２へ向けて傾倒方向Ｂへ揺動する途中の任意の中間傾斜姿勢Ｔ１にて、起立方向Ａへの所定の小角度θの引返し動作Ｍ２によって、規制を復元してロック状態とし、肘掛け部４９の姿勢を保持するように構成されたので、フリー状態に於て、肘掛け部４９を傾倒方向Ｂへ揺動させる途中の任意の中間傾斜姿勢Ｔ１にて、起立方向Ａに少しだけ引き戻すことで、無効化した規制を復元してロック状態とできる。即ち、肘掛け部４９を、起立状のロック解除姿勢Ｔ０として規制を無効化した後、ロック復元のための水平状の傾倒姿勢Ｔ２とすることなく、ロック状態を復元でき、肘掛け部４９を任意の中間傾斜姿勢Ｔ１で保持でき、かつ、その中間傾斜姿勢Ｔ１から角度調整を開始できる。即ち、肘掛け部４９が障害物との干渉（当接）によりロック状態を復元できなくなるという前述の問題点を解消し、容易かつ迅速に角度調整できる。
【００３３】
また、角度調整金具３によって背部４６の上縁に連結され角度調整自在に取付けられたヘッドレスト部４８を備え、ヘッドレスト部４８を起立方向Ａへ揺動可能としつつヘッドレスト部４８の傾倒方向Ｂへの揺動を規制するロック状態と、ヘッドレスト部４８を起立状のロック解除姿勢Ｔ０とすることにより規制を無効化して傾倒方向Ｂへの揺動を可能とするフリー状態とに、切換えるように構成されたソファーに於て、フリー状態で、ヘッドレスト部４８は、ロック解除姿勢Ｔ０からロック復元のための水平状の傾倒姿勢Ｔ２へ向けて傾倒方向Ｂへ揺動する途中の任意の中間傾斜姿勢Ｔ１にて、起立方向Ａへの所定の小角度θの引返し動作Ｍ２によって、規制を復元してロック状態とし、ヘッドレスト部４８の姿勢を保持するように構成されたので、フリー状態に於て、ヘッドレスト部４８を傾倒方向Ｂへ揺動させる途中の任意の中間傾斜姿勢Ｔ１にて、起立方向Ａに少しだけ引き戻すことで、無効化した規制を復元してロック状態とできる。即ち、ヘッドレスト部４８を、起立状のロック解除姿勢Ｔ０として規制を無効化した後、ロック復元のための水平状の傾倒姿勢Ｔ２とすることなく、ロック状態を復元でき、ヘッドレスト部４８を任意の中間傾斜姿勢Ｔ１で保持でき、かつ、その中間傾斜姿勢Ｔ１から角度調整を開始できる。即ち、ヘッドレスト部４８が障害物との干渉（当接）によりロック状態を復元できなくなるという前述の問題点を解消し、容易かつ迅速に角度調整できる。
【符号の説明】
【００３４】
３  角度調整金具
４５  ソファー固定部
４６  背部
４８  ヘッドレスト部
４９  肘掛け部
Ａ  起立方向
Ｂ  傾倒方向
Ｔ０  ロック解除姿勢
Ｔ１  中間傾斜姿勢
Ｔ２  傾倒姿勢
θ  小角度
Ｍ２  引返し動作
【要約】
【課題】肘掛け部をロック解除姿勢から傾倒させる途中の中間傾斜姿勢で簡単にロック状態を復元し、任意の中間傾斜姿勢から角度調整を行って肘掛け部の姿勢を保持し得るソファーを提供する。
【解決手段】角度調整金具３によってソファー固定部４５に連結され角度調整自在に取付けられた肘掛け部４９を備え、肘掛け部４９を起立方向Ａへ揺動可能としつつ肘掛け部４９の傾倒方向Ｂへの揺動を規制するロック状態と、肘掛け部４９を起立状のロック解除姿勢とすることにより規制を無効化して傾倒方向Ｂへの揺動を可能とするフリー状態とに、切換えるように構成されたソファーに於て、フリー状態で、肘掛け部４９は、ロック解除姿勢からロック復元のための水平状の傾倒姿勢へ向けて傾倒方向Ｂへ揺動する途中の任意の中間傾斜姿勢Ｔ１にて、起立方向Ａへの所定の小角度の引返し動作によって、規制を復元してロック状態とし、肘掛け部４９の姿勢を保持するように構成されている。
【選択図】図１【図１】
0005498608.tif 000002
【図２】
0005498608.tif 000003
【図３】
0005498608.tif 000004
【図４】
0005498608.tif 000005
【図５】
0005498608.tif 000006
【図６】
0005498608.tif 000007
【図７】
0005498608.tif 000008
【図８】
0005498608.tif 000009
【図９】
0005498608.tif 000010
【図１０】
0005498608.tif 000011
【図１１】
0005498608.tif 000012
【図１２】
0005498608.tif 000013
【図１３】
0005498608.tif 000014
【図１４】
0005498608.tif 000015
【図１５】
0005498608.tif 000016
【図１６】
0005498608.tif 000017
【図１７】
0005498608.tif 000018
【図１８】
0005498608.tif 000019
【図１９】
0005498608.tif 000020